(57)【要約】【課題】内蔵の表示装置に画質処理された画像データを容易に表示することが可能な情報処理装置および表示制御方法を提供する。【解決手段】画像データをフルスクリーンで表示可能なＬＣＤ１７と、生成した映像信号をＣＲＴといった外部表示装置に出力可能なグラッフィスクコントローラ１１４と、グラッフィスクコントローラ１１４によって生成された映像信号に対して画質処理を実行する高画質化エンジン１１５とを備え、ＬＣＤ１７に画像データを表示させるとともにＬＣＤ１７に表示される画像データとは異なる画像データを外部表示装置に表示させるモードが入力されている場合、高画質化エンジン１１５によって画質処理された映像信号に基づいて形成される画像データをＬＣＤ１７にフルスクリーンで表示する。【選択図】図５
2007212578.tif 000002
【特許請求の範囲】
【請求項１】
画像データをフルスクリーンで表示可能な内蔵表示装置と、
映像信号を生成するコントローラであり、生成した映像信号を外部表示装置に出力可能な表示コントローラと、
前記表示コントローラによって生成された映像信号に対して画質処理を実行する映像処理手段と、
前記内蔵表示装置に第１の画像を表示させるとともに前記外部表示装置に前記第１の画像データとは異なる第２の画像データを表示させるモードを入力する入力手段と、
前記内蔵表示装置は、前記入力手段によって前記モードが入力されている場合、前記映像信号処理手段によって画質処理された映像信号に基づいて形成される画像データをフルスクリーンで表示する表示装置であることを特徴とする情報処理装置。
【請求項２】
画像データを前記フルスクリーンで表示装置に表示させるイベントを入力する第２の入力手段をさらに具備し、
前記表示コントローラは生成した映像信号を前記内蔵表示装置に出力可能なコントローラであり、
前記入力手段によって前記モードが入力されている場合で且つ前記第２の入力手段によって前記イベントが入力される場合、前記内蔵表示装置は、前記表示コントローラによって生成された映像信号に基づいて形成される画像データの表示から前記映像信号処理手段によって画質処理された映像信号に基づいて形成される画像データのフルスクリーンでの表示へ切り換えることを特徴とする請求項１記載の情報処理装置。
【請求項３】
前記フルスクリーンで画像データを表示する表示装置が前記内蔵表示装置であるか否かを判断する判断手段と、
前記判断手段によって前記フルスクリーンで画像データを表示する表示装置は前記内蔵表示装置であると判断された場合、前記内蔵表示装置は前記映像信号処理手段によって画質処理された映像信号に基づいて形成される画像データを前記フルスクリーンで表示することを特徴とする請求項１記載の情報処理装置。
【請求項４】
表示装置に画像データを前記フルスクリーンで表示するか否かを判断する第２の判断手段をさらに具備し、
前記表示コントローラは生成した映像信号を前記内蔵表示装置に出力可能なコントローラであり、
前記入力手段によって前記モードが入力されている場合で且つ前記第２の判断手段によって前記表示装置に画像データを前記フルスクリーンで表示しないと判断された場合、前記内蔵表示装置は、前記表示コントローラが生成した映像信号に基づいて形成される画像データを表示することを特徴とする請求項１記載の情報処理装置。
【請求項５】
画像データをフルスクリーンで表示可能な内蔵表示装置と、
映像信号を生成するコントローラであり、生成した映像信号を外部表示装置に出力可能な表示コントローラと、
前記表示コントローラによって生成された映像信号に対して画質処理を実行する映像処理手段と、
前記内蔵表示装置に第１の画像を表示させるとともに前記外部表示装置に前記第１の画像データとは異なる第２の画像データを表示させるモードを入力する入力手段と、
前記内蔵表示装置は、前記入力手段によって前記モードが入力されている場合で且つ前記内蔵表示装置に前記フルスクリーンで画像データを表示する場合、前記映像信号処理手段によって画質処理された映像信号に基づいて形成される画像データを前記フルスクリーンで表示する表示装置であることを特徴とする情報処理装置。
【請求項６】
画像データを前記フルスクリーンで表示装置に表示させるイベントを入力する第２の入力手段をさらに具備し、
前記表示コントローラは生成した映像信号を前記内蔵表示装置に出力可能なコントローラであり、
前記入力手段によって前記モードが入力されている場合で且つ前記第２の入力手段によって前記イベントが入力される場合、前記内蔵表示装置は、前記表示コントローラによって生成された映像信号に基づいて形成される画像データの表示から前記映像信号処理手段によって画質処理された映像信号に基づいて形成される画像データをフルスクリーンで表示へ切り換えることを特徴とする請求項５記載の情報処理装置。
【請求項７】
表示装置に画像データを前記フルスクリーンで表示するか否かを判断する第２の判断手段をさらに具備し、
前記表示コントローラは生成した映像信号を前記内部表示装置に出力可能なコントローラであり、
前記選択手段によって前記モードが入力されている場合で且つ前記第２の判断手段によって前記表示装置に画像データを前記フルスクリーンで表示しないと判断された場合、前記内蔵表示装置は、前記表示コントローラが生成した映像信号に基づいて形成される画像データを表示することを特徴とする請求項５記載の情報処理装置。
【請求項８】
画像データをフルスクリーンで表示可能な内蔵表示装置と、映像信号を生成するコントローラであり生成した映像信号を外部表示装置に出力可能な表示コントローラと、前記内蔵表示装置に第１の画像を表示させるとともに前記外部表示装置に前記第１の画像データとは異なる第２の画像データを表示させるモードを入力する入力手段と、を具備する情報処理装置に適用される表示制御方法において、
表示コントローラによって映像信号を生成し、
前記表示コントローラによって生成された映像信号を映像信号処理手段によって画質処理し、
前記入力手段によって前記モードが入力されている場合、前記映像信号処理手段によって画質処理された映像信号に基づいて形成される画像データをフルスクリーンで内蔵表示装置に表示することを特徴とする表示制御方法。
【請求項９】
前記入力手段によって前記モードが入力されている場合で且つ画像データを前記フルスクリーンで表示装置に表示させるイベントが入力される場合、前記表示コントローラによって生成された映像信号に基づいて形成される画像データの前記内蔵表示装置への表示から前記映像信号処理手段によって画質処理された映像信号に基づいて形成される画像データの前記内蔵表示装置への前記フルスクリーンでの表示へ切り換えることを特徴とする請求項８記載の表示制御方法。
【請求項１０】
前記フルスクリーンで画像データを表示する表示装置が前記内蔵表示装置であるか否かを判断し、
前記フルスクリーンで画像データを表示する表示装置が前記内蔵表示装置であると判断された場合、前記映像信号処理手段によって画質処理された映像信号に基づいて形成される画像データを前記内蔵表示装置に前記フルスクリーンで表示することを特徴とする請求項８記載の表示制御方法。
【請求項１１】
表示装置に画像データを前記フルスクリーンで表示するか否かを判断し、
前記入力手段によって前記モードが入力されている場合で且つ前記第２の判断手段によって前記表示装置に画像データを前記フルスクリーンで表示しないと判断された場合、前記表示コントローラが生成した映像信号に基づいて形成される画像データを前記内蔵表示装置に表示することを特徴とする請求項８記載の表示制御方法。
【発明の詳細な説明】
【技術分野】
【０００１】
本発明は動画像データを内蔵表示装置に表示可能な情報処理装置および同装置に適用される表示制御方法に関する。
【背景技術】
【０００２】
近年、ＤＶＤ（Digital Versatile Disc）プレーヤ、ＴＶ装置のようなオーディオ・ビデオ（ＡＶ）機器と同様のＡＶ再生機能を備えたノート型のパーソナルコンピュータが開発されている。  
例えば、特許文献１には、ＤＶＤドライブ装置及びＴＶチューナを搭載したパーソナルコンピュータが開示されている。この特許文献１のコンピュータにおいては、ＴＶチューナから録画した動画像データを画像コントローラによって処理した後、この画像コントローラに直接接続された内蔵の液晶表示部に表示される。
【特許文献１】特開２００５−７７５０１号公報
【発明の開示】
【発明が解決しようとする課題】
【０００３】
ところで、ＤＶＤドライブ装置やＴＶチューナによって得られる動画像データを十分に高画質で表示するためには、その動画像を高画質化するための映像信号処理を実行する機能が必要となる。また、内蔵の液晶表示部以外にも外部接続されたＣＲＴやＴＶに出力するマルチモニタとしての使用方法も増えてきている。マルチモニタとして使用する場合、内蔵の液晶表示部および外部接続されたＣＲＴ（またはＴＶ）にそれぞれ別々の内容を表示して両方のモニタを使用する。
【０００４】
しかしながら、上記特許文献１には、動画像を高画質化するための映像信号処理は、マルチモニタの使用に対応しておらず、マルチモニタとして内蔵の液晶表示部を使用した場合には、動画像を高画質化するための映像信号処理を行うことができない。
【０００５】
本発明は上述の事情を考慮してなされたものであり、内蔵の表示装置に画質処理された画像データを容易に表示することが可能な情報処理装置および表示制御方法を提供することを目的とする。
【課題を解決するための手段】
【０００６】
上記目的を達成するために、本願発明の一態様によれば、画像データをフルスクリーンで表示可能な内蔵表示装置と、映像信号を生成するコントローラであり、生成した映像信号を外部表示装置に出力可能な表示コントローラと、前記表示コントローラによって生成された映像信号に対して画質処理を実行する映像処理手段と、前記内蔵表示装置に第１の画像を表示させるとともに前記外部表示装置に前記第１の画像データとは異なる第２の画像データを表示させるモードを入力する入力手段と、前記内蔵表示装置は、前記入力手段によって前記モードが入力されている場合、前記映像信号処理手段によって画質処理された映像信号に基づいて形成される画像データをフルスクリーンで表示する表示装置であることを特徴とする情報処理装置が提供される。
【０００７】
また、画像データをフルスクリーンで表示可能な内蔵表示装置と、映像信号を生成するコントローラであり、生成した映像信号を外部表示装置に出力可能な表示コントローラと、前記表示コントローラによって生成された映像信号に対して画質処理を実行する映像処理手段と、前記内蔵表示装置に第１の画像を表示させるとともに前記外部表示装置に前記第１の画像データとは異なる第２の画像データを表示させるモードを入力する入力手段と、前記内蔵表示装置は、前記入力手段によって前記モードが入力されている場合で且つ前記内蔵表示装置に前記フルスクリーンで画像データを表示する場合、前記映像信号処理手段によって画質処理された映像信号に基づいて形成される画像データを前記フルスクリーンで表示する表示装置であることを特徴とする情報処理装置が提供される。
【０００８】
また、画像データをフルスクリーンで表示可能な内蔵表示装置と、映像信号を生成するコントローラであり生成した映像信号を外部表示装置に出力可能な表示コントローラと、前記内蔵表示装置に第１の画像を表示させるとともに前記外部表示装置に前記第１の画像データとは異なる第２の画像データを表示させるモードを入力する入力手段と、を具備する情報処理装置に適用される表示制御方法において、表示コントローラによって映像信号を生成し、前記表示コントローラによって生成された映像信号を映像信号処理手段によって画質処理し、前記入力手段によって前記モードが入力されている場合、前記映像信号処理手段によって画質処理された映像信号に基づいて形成される画像データをフルスクリーンで内蔵表示装置に表示することを特徴とする表示制御方法が提供される。
【発明の効果】
【０００９】
本発明によれば、内蔵の表示装置に画質処理された画像データを容易に表示することが可能な情報処理装置および表示制御方法を提供することが可能となる。
【発明を実施するための最良の形態】
【００１０】
以下、図面を参照して、本発明の実施形態を説明する。
【００１１】
まず、図１および図２を参照して、本発明の一実施形態に係る情報処理装置の構成について説明する。この情報処理装置は、例えば、ノートブック型パーソナルコンピュータ１０として実現されている。
【００１２】
図１はノートブック型パーソナルコンピュータ１０のディスプレイユニットを開いた状態における斜視図である。本コンピュータ１０は、コンピュータ本体１１と、ディスプレイユニット１２とから構成されている。ディスプレイユニット１２には、ＬＣＤ（Liquid Crystal Display）１７から構成される内蔵の表示装置が組み込まれており、そのＬＣＤ１７の表示画面はディスプレイユニット１２のほぼ中央に位置されている。
【００１３】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１０を電源オン／オフするためのパワーボタン１４、入力操作パネル１５、およびタッチパッド１６などが配置されている。また、コンピュータ本体１１の背面には、図示しない外部表示装置への出力端子が設けられている。出力端子としては、例えばＣＲＴへの出力を行うＶＧＡ出力端子、ＴＶ等への出力を行うＳ端子等である。
【００１４】
入力操作パネル１５は、押されたボタンに対応するイベントを入力する入力装置であり、複数の機能をそれぞれ起動するための複数のボタンを備えている。これらボタン群には、例えばＴＶ起動ボタン１５Ａ、ＤＶＤ／ＣＤ起動ボタン１５Ｂ等も含まれている。ＴＶ起動ボタン１５ＡはＴＶ放送番組データを再生するためのボタンである。ＴＶ起動ボタン１５Ａがユーザによって押下された時、ＴＶ放送番組データを再生するためのアプリケーションプログラムが自動的に起動される。ＤＶＤ／ＣＤ起動ボタン１５Ｂは、ＤＶＤまたはＣＤに記録されたビデオや音楽等のコンテンツを再生するためのボタンである。ＤＶＤ／ＣＤ起動ボタン１５Ｂがユーザによって押下された時、コンテンツを再生するためのアプリケーションプログラムが自動的に起動される。
【００１５】
本実施形態のコンピュータ１０においては、ＴＶ放送番組データ、ビデオコンテンツのような動画像データを高画質でＬＣＤ１７に表示するために、動画像データの再生時にその動画像データの画質を自動的に高画質化する機能が設けられている。
【００１６】
次に、図２を参照して、本コンピュータ１０のシステム構成について説明する。
【００１７】
本コンピュータ１０は、図２に示されているように、ＣＰＵ（判別手段）１１１、ノースブリッジ１１２、主メモリ１１３、グラフィクスコントローラ（表示コントローラ）１１４、高画質化エンジン（ＨＶＥ：Super Video Processor：映像処理手段）１１５、ＴＭＤＳ（Ｒｘ）処理部１１６、ＬＶＤＳ（Ｔｘ）処理部１１７、スイッチ１１８、サウスブリッジ１１９、ＢＩＯＳ−ＲＯＭ１２０、ハードディスクドライブ（ＨＤＤ）１２１、光ディスクドライブ（ＯＤＤ）１２２、ＴＶチューナ１２３、およびエンベデッドコントローラ／キーボードコントローラＩＣ（ＥＣ／ＫＢＣ）１２４等を備えている。
【００１８】
ＣＰＵ１１１は本コンピュータ１０の動作を制御するために設けられたプロセッサであり、ハードディスクドライブ（ＨＤＤ）１２１から主メモリ１１３にロードされる、オペレーティングシステム（ＯＳ）および各種アプリケーションプログラムを実行する。ＯＳは、例えば複数のウィンドウを表示画面上に表示するためのウィンドウシステムを有している。
【００１９】
動画像データ（例えば、ＴＶチューナ１２３によって受信されたＴＶ放送番組データ、ＤＶＤのような記憶メディアに格納されたビデオコンテンツなど）は、通常、その動画像データを再生するためのビデオ再生アプリケーションプログラムに対応するウィンドウ内に表示される（ウィンドウ表示モード）。この場合、例えば、ビデオ再生アプリケーションプログラムに対応するウィンドウはデスクトップ画面上に配置され、そのウィンドウ内に動画像データが表示される（ウィンドウモード）。
【００２０】
また、本コンピュータ１０は、ウィンドウ内に動画像データ上をマウス等でダブルクリックすること等により動画像データをＬＣＤ１７の表示画面上にフルスクリーンモードで表示することもできる。マウス、ポインティングデバイス等といった入力手段は、画像データ上をダブルクリックするといったユーザの操作に応じて、ウィンドウモードから切り替えられたフルスクリーンモードで画像データを表示装置に表示させるイベントを入力する手段である。入力手段によって入力されたイベントはビデオ再生アプリケーションプログラムに渡される。
【００２１】
このフルスクリーンモードにおいては、動画像データだけが表示画面上のほぼ全エリアに表示される。この場合、デスクトップ画面、およびビデオ再生アプリケーションプログラム以外の他のアプリケーションプログラムに対応するウィンドウは基本的には表示されない。また、ビデオ再生アプリケーションプログラムに対応するウィンドウのメニューバーなども表示されず、動画像データだけが表示画面上のほぼ全エリアに表示される。
【００２２】
また、ＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００２３】
ノースブリッジ１１２はＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００２４】
グラフィクスコントローラ１１４は、本コンピュータ１０のディスプレイモニタとして使用されるＬＣＤ１７を制御する表示コントローラである。このグラフィクスコントローラ１１４はビデオメモリ（ＶＲＡＭ）を有しており、ＯＳ／アプリケーションプログラムによってビデオメモリに描画された表示データから、ＬＣＤ１７に表示すべき表示イメージを形成する映像信号を生成する。ＬＣＤ１７に表示すべき表示イメージは、通常は、デスクトップ画面のイメージおよびそのデスクトップ画面上に配置されたウィンドウそれぞれのイメージとから構成される。しかし、動画像データをフルスクリーンモードで表示する場合には、ＬＣＤ１７に表示すべき表示イメージは、動画像データのイメージのみから構成される。したがって、動画像データをフルスクリーンモードで表示する場合には、動画像データの表示イメージのみを形成する映像信号がグラフィクスコントローラ１１４から出力される。
【００２５】
グラフィクスコントローラ１１４によって生成された映像信号はライン１およびライン２Ａにそれぞれ出力される。ライン１に出力される映像信号は、例えば、ＬＶＤＳ（Low voltage differential Signaling）形式のＲＧＢ信号から構成されている。また、ライン２Ａに出力される映像信号は、例えば、ＴＤＭＳ（Transition Minimized Differential Signaling）形式のＲＧＢ信号から構成されている。また、グラフィクスコントローラ１１４は、外部表示装置であるＣＲＴ（Cathode Ray Tube）へ映像信号を出力するためのインタフェース（ＣＲＴ  ｏｕｔ）、および映像信号をＳビデオ端子を介してＴＶ等に出力するためのインタフェース（Ｓ  Ｖｉｄｅｏ  ｏｕｔ）も有している。これらのインタフェースから映像信号を外部出力する場合は、これらのインタフェースに接続される外部表示装置をマルチモニタ（またはクローン（同時表示）)として使用することもできる。なお、マルチモニタは、２つの表示装置でそれぞれ異なる内容を表示させる方法であり、クローン（同時表示）は、同じ表示内容を同時に表示する方法である。
【００２６】
ＴＭＤＳ（Ｒｘ）処理部１１６は、グラフィクスコントローラ１１４からライン２Ａを介して送られてくるＴＤＭＳ形式のＲＧＢ信号をデジタルＲＧＢ信号に変換し、そのデジタルＲＧＢ信号をライン２Ｂを介して高画質化エンジン（ＨＶＥ）１１５に送る。
【００２７】
高画質化エンジン（ＨＶＥ）１１５は、グラフィクスコントローラ１１４によって生成された映像信号を高画質化するための映像処理（以下、画質画質補正処理という）を実行する映像処理コントローラである。高画質化エンジン（ＨＶＥ）１１５はビデオメモリ（ＶＲＡＭ）１１５Ａを有している。画質補正処理はビデオメモリ（ＶＲＡＭ）１１５Ａ上で実行される。この画質補正処理は動画を高画質化するための動画像専用の映像処理であり、滑らかで高画質の動画像をＬＣＤ１７に表示するために実行される。この画質補正処理では、動画像の画質を改善するために、例えば、色調整、シャープネス調整、輝度調整、および輪郭強調（エッジエンハンスメント）等の処理が行われる。
【００２８】
また高画質化エンジン（ＨＶＥ）１１５は、コンポジット入力端子を介して外部のビデオ機器から入力される映像信号に対しても、画質補正処理を施すことができる。
【００２９】
高画質化エンジン（ＨＶＥ）１１５によって画質補正された映像信号は、ライン２Ｃを介してＬＶＤＳ（Ｔｘ）処理部１１７に送られる。ＬＶＤＳ（Ｔｘ）処理部１１７は、高画質化エンジン（ＨＶＥ）１１５から出力される画質補正された映像信号をＬＶＤＳ（Low voltage differential Signaling）形式のＲＧＢ信号に変換し、そのＬＶＤＳ形式のＲＧＢ信号をライン２Ｄ上に出力する。
【００３０】
さらに、高画質化エンジン（ＨＶＥ）１１５は、映像信号の解像度およびアスペクト比を変更するためのスケーリング機能も有している。映像信号のスケーリングは、その映像信号の画質補正処理が実行された後に実行される。スケーリングされた映像信号に対して画質補正を行うよりも、スケーリング前の生データに対して画質補正処理を行い、その画質補正処理された映像信号をスケーリングした方が、動画像を高画質で表示することができる。
【００３１】
スイッチ１１８は、グラフィクスコントローラ１１４によって生成される映像信号および高画質化エンジン（ＨＶＥ）１１５によって画質補正された映像信号の一方を選択的にＬＣＤ１１８に出力するセレクタとして機能する。このスイッチ１１８は、ライン１に接続された第１入力端子と、ライン２Ｄに接続された第２入力端子と、ＬＣＤ１７に接続された出力端子とを有している。スイッチ１１８は、ＥＣ／ＫＢＣ１２４から供給されるスイッチ制御信号ＳＷに応じて、第１入力端子および第２入力端子の一方を選択し、その選択した入力端子を出力端子に接続するように構成されている。このスイッチ１１８の働きにより、本実施形態においては、以下の２つの表示制御モードを用いることが出来る。
【００３２】
（１）ノーマルモード：  ノーマルモードにおいては、グラフィクスコントローラ１１４からの映像信号は高画質化エンジン（ＨＶＥ）１１５を経由せずにＬＣＤ１７に送出される（パス１：ＬＶＤＳ：図２参照）。ノーマルモードは、ＬＣＤ１７に表示される表示イメージに静止画像が含まれる場合に使用される。また、ＬＣＤ１７に表示される表示イメージがウィンドウ表示モードの場合にも使用される。
【００３３】
（２）高画質モード：  高画質モードにおいては、グラフィクスコントローラ１１４からの映像信号は高画質化エンジン（ＨＶＥ）１１５を経由してＬＣＤ１７に送出される（パス２Ａ、２Ｂ、２Ｃ、２Ｄ：図２参照）。高画質モードは、ＬＣＤ１７に動画像データをフルスクリーンモードで表示する場合に使用される。もし静止画像（デスクトップ画面、ワープロソフトの操作画面、表計算ソフトの操作画面）に対して動画像用の画質補正処理を施すと、シャープネスが強くなりすぎてしまい、却って静止画像の視認性が低下されてしまうからである。
【００３４】
なお、後述するが、ＬＣＤ１７に動画像データをフルスクリーンモードで表示する場合であれば、外部表示装置をマルチモニタ使用していても、ＬＣＤ１７に動画像データを高画質モードで表示することが可能である。
【００３５】
サウスブリッジ１１９は、ＬＰＣ（Low Pin Count）バス上の各デバイスを制御する。また、サウスブリッジ１１９は、ＨＤＤ１２１、ＯＤＤ１２２を制御するためのＩＤＥ（Integrated Drive Electronics）コントローラを内蔵している。さらに、サウスブリッジ１１９は、ＴＶチューナ１２３を制御する機能、およびＢＩＯＳ−ＲＯＭ１２０をアクセス制御するための機能も有している。
【００３６】
光ディスクドライブ（ＯＤＤ）１２３は、ビデオコンテンツが格納されたＤＶＤ、ＣＤなどの記憶メディアを駆動するためのドライブユニットである。ＴＶチューナ１２３は、ＴＶ放送番組のような放送番組データを受信するための受信装置である。
【００３７】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１２４は、ユーザによるパワーボタン１４の操作に応じて本コンピュータ１０をパワーオン／パワーオフする機能を有している。
【００３８】
さらに、エンベデッドコントローラ／キーボードコントローラＩＣ（ＥＣ／ＫＢＣ）１２４は、Ｉ2Ｃバスを介して高画質化エンジン（ＨＶＥ）１１５との通信を行う機能、およびスイッチ１１８に対して上述のスイッチ制御信号ＳＷを供給する機能を有している。
【００３９】
次に、図３を参照して、高画質化エンジン（ＨＶＥ）１１５の構成例について説明する。
【００４０】
高画質化エンジン（ＨＶＥ）１１５は、図示のように、ＲＧＢ／ＹＵＶ変換部２０１、画質補正処理部２０２、スケーリング処理部２０３、スケーリングレジスタ２０４、およびＹＵＶ／ＲＧＢ変換部２０５等を備えている。
【００４１】
ＲＧＢ／ＹＵＶ変換部２０１は、ＴＭＤＳ（Ｒｘ）処理部１１６を介してグラフィクスコントローラ１１４から送信される映像信号をＲＧＢ信号からＹＵＶ信号に変換する。画質補正処理部２０２は、ＹＵＶ信号に対して、その画質補正（色調整、シャープネス調整、輝度調整、および輪郭強調）のための演算処理を施す。スケーリング処理部２０３は、スケーリングレジスタ２０４に設定されたスケーリングパラメタ情報に従い、画質補正されたＹＵＶ信号をスケーリングする。
【００４２】
スケーリングは動画像データのサイズ（解像度）を変更するための処理である。このスケーリング処理により、動画像データのサイズ（解像度）は、ＬＣＤ１７の表示画面のサイズ（パネル解像度）に適したサイズに変更される。スケーリングパラメタ情報は、例えば、動画像データの解像度、動画像データのアスペクト比、およびＬＣＤ１７のパネル解像度等を含む。
【００４３】
ＹＵＶ／ＲＧＢ変換部２０５は、スケーリングされた映像信号をＹＵＶ信号からＲＧＢ信号に変換する。このＲＧＢ信号は、ＬＣＤ１７に向けて送出される。
【００４４】
図４は、コンピュータ１０にて使用される表示装置の使用形態を説明する図である。
【００４５】
表示装置の使用形態（１）は、ＬＣＤ１７にのみ映像信号を出力し、外部表示装置であるＣＲＴやＴＶに映像信号を出力しない使用形態である。この使用形態の場合、高画質化エンジン（ＨＶＥ）１１５によって画質処理された映像信号がＬＣＤ１７に出力される。
【００４６】
表示装置の使用形態（２）および（３）は、外部表示装置であるＣＲＴのみやＴＶのみに映像信号を出力する使用形態である。これらの使用形態の場合、グラフィックスコントローラ１１４にて生成された映像信号が高画質化エンジン１１５を介さずにＣＲＴのみ、またはＴＶのみに出力される。
【００４７】
表示装置の使用形態（４）および（５）は、ＬＣＤ１７と外部表示装置であるＣＲＴまたはＴＶとに同じ表示内容を表示（クローン）させる使用形態（デュアルモニタモード）である（表示内容が両方とも「Ａ」）。これらの使用形態の場合、グラフィックスコントローラ１１４にて生成された映像信号が高画質化エンジン１１５を介さずにＬＣＤ１７とＣＲＴまたはＴＶとに出力される。
【００４８】
表示装置の使用形態（６）および（７）は、ＬＣＤ１７と外部表示装置であるＣＲＴまたはＴＶとに異なった表示内容を表示させる使用形態（マルチモニタモード）である（表示内容が「Ａ」と「Ｂ」で異なる）。これらの使用形態の場合、ＬＣＤ１７にフルスクリーンモードで画像が表示される場合は高画質化エンジン（ＨＶＥ）１１５によって画質処理された映像信号がＬＣＤ１７に出力され、ＣＲＴのみ、またはＴＶにグラフィックスコントローラ１１４にて生成された映像信号が高画質化エンジン１１５を介さずに出力される。
【００４９】
図４を用いて説明した表示装置の使用形態（１）〜（７）のうちのいずれかの表示形態を示す情報は、ユーザによって所定の操作が行われることでコンピュータ１０に入力される。ユーザが例えば入力手段であるキーボードを用いて所定のキー操作を行うことで、表示装置の使用形態（１）〜（７）のうちのいずれかの表示装置の使用形態を示す情報をコンピュータ１０に入力することが可能である。選択された表示装置の使用形態を示す情報は例えばグラフィックスコントローラ１１４に設けられるレジスタに設定される。
【００５０】
図４を用いて説明した内容についてさらに詳しく、図５のフローチャートを参照して、本コンピュータ１０にて使用される表示装置への表示制御処理について説明する。
【００５１】
表示ドライバは、例えば、動画像データを再生するためのビデオ再生アプリケーションプログラムからのフルスクリーンモード要求の有無に応じて、表示モードがウィンドウ表示モードか否かを判断する（ステップＳ１）。
【００５２】
この場合、表示ドライバはビデオ再生アプリケーションプログラムから発行されるフルスクリーンモード要求に応答して、表示モードがフルスクリーンモードであると判断する。一方、表示ドライバはビデオ再生アプリケーションプログラムからフルスクリーンモード要求が発行されていない場合、表示モードがウィンドウ表示モードであると判断する。
【００５３】
表示ドライバは表示モードがウィンドウ表示モードであると判断した場合（ステップＳ１のＹＥＳ）、表示ドライバは表示モードがフルスクリーンモードになったか否かを判断する（ステップＳ２）。
【００５４】
表示ドライバは表示モードがフルスクリーンモードになったと判断すると（ステップＳ２のＹＥＳ）、グラフィックスコントローラ１１４に設定されている図４を用いて説明した表示装置の使用形態に関する情報を参照する（ステップＳ３）。
【００５５】
表示ドライバはグラフィックスコントローラ１１４に格納されている表示装置の使用形態を示す情報を参照して、表示装置の使用形態（１）（ＬＣＤ１７にのみ映像信号を出力し、外部表示装置であるＣＲＴやＴＶに映像信号を出力しない使用形態）が設定されているか否かを判断する（ステップＳ４）。
【００５６】
表示ドライバが表示装置の使用形態（１）が設定されていないと判断した場合（ステップＳ４のＮｏ）、表示装置の使用形態（６）または（７）（ＬＣＤ１７と外部表示装置であるＣＲＴまたはＴＶとに異なった表示内容を表示させる使用形態）であるか否かを判断する（ステップＳ５）。
【００５７】
表示ドライバが表示装置の使用形態（６）または（７）が設定されていると判断した場合（ステップＳ５のＹＥＳ）、表示ドライバはフルスクリーンモードである表示装置がＬＣＤ１７であるか否かを判断する（ステップＳ６）。
【００５８】
表示ドライバがフルスクリーンモードである表示装置がＬＣＤ１７であると判断した場合（ステップＳ６のＹＥＳ）、表示ドライバからシステムＢＩＯＳを介してフルスクリーンモード要求が発行されたことを示すイベントがＥＣ／ＫＢＣ１２４に通知される。ＥＣ／ＫＢＣ１２４はスイッチ制御信号ＳＷによって、スイッチ１１８を高画質化エンジン（ＨＶＥ）１１５側に切り替える処理を実行する（ステップＳ７）。
【００５９】
また、ステップＳ４にて、表示ドライバが表示装置の使用形態（１）が設定されていると判断した場合（ステップＳ４のＹＥＳ）、表示ドライバはステップＳ７と同様のやり方で、スイッチ１１８を高画質化エンジン（ＨＶＥ）１１５側に切り替える処理を実行する
表示ドライバがステップＳ１で、ウィンドウ表示モードでない、すなわち、フルスクリーンモードであると判断した場合（ステップＳ１のＮＯ）、表示ドライバは表示モードがウィンドウ表示モードになった否かを判断する（ステップＳ８）。
【００６０】
表示ドライバは表示モードがウィンドウ表示モードであると判断すると（ステップＳ８のＹＥＳ）、グラフィックスコントローラ１１４に格納されている図４を用いて説明した表示装置の使用形態に関する情報を参照する（ステップＳ９）。
【００６１】
表示ドライバはグラフィックスコントローラ１１４に格納されている表示装置の使用形態を示す情報を参照して、表示装置の使用形態（１）（ＬＣＤ１７にのみ映像信号を出力し、外部表示装置であるＣＲＴやＴＶに映像信号を出力しない使用形態）が設定されているか否かを判断する（ステップＳ１０）。
【００６２】
表示ドライバが表示装置の使用形態（１）を示す情報が設定されていないと判断した場合（ステップＳ１０のＮｏ）、表示装置の使用形態（６）または（７）（ＬＣＤ１７と外部表示装置であるＣＲＴまたはＴＶとに異なった表示内容を表示させる使用形態）であるか否かを判断する（ステップＳ１１）。
【００６３】
表示ドライバが表示装置の使用形態（６）または（７）が設定されていると判断した場合（ステップＳ１１のＹＥＳ）、表示ドライバはフルスクリーンモードからノーマルモードに変更になった表示装置がＬＣＤ１７であるか否かを判断する（ステップＳ１２）。
【００６４】
表示ドライバがノーマルモードに変更になった表示装置はＬＣＤ１７であると判断した場合（ステップＳ１２のＹＥＳ）、表示ドライバからシステムＢＩＯＳを介してフルスクリーンモード要求が発行されたことを示すイベントがＥＣ／ＫＢＣ１２４に通知されないため、グラフィックスコントローラ１１４から高画質化エンジン（ＨＶＥ）１１５を経由せずにＬＣＤ１７に映像信号が出力される（ステップＳ１３）。
【００６５】
また、ステップＳ１０にて表示ドライバが表示装置の使用形態（１）が設定されていると判断した場合（ステップＳ１０のＹＥＳ）、ステップＳ１３と同様のやり方で、グラフィックスコントローラ１１４から高画質化エンジン（ＨＶＥ）１１５を経由せずにＬＣＤ１７に映像信号が出力される。
【００６６】
尚、図５を用いたステップＳ２およびステップＳ３にて、表示ドライバが再生アプリケーションから発行されるフルスクリーンモード要求に応じてフルスクリーンモードか否かを判断する構成を説明しているが、表示ドライバがビデオメモリ上に展開された動画データのサイズがＷｉｎｄｏｗサイズであるか否かを判断することで、フルスクリーンモードであるか否かを判断させる構成であってもよい。
【００６７】
以上より、ＬＣＤと外部表示装置とのマルチモニタ時でも動画像をフルスクリーンモードで高画質にＬＣＤ表示することが可能となる。また、ユーザがどの表示装置の組み合わせにおいても特に意識することなく高画質のフルスクリーンモードのＬＣＤ表示を利用することができる。
【００６８】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６９】
【図１】本発明の一実施形態に係るコンピュータの外観を示す斜視図。
【図２】図１のコンピュータのシステム構成を示すブロック図。
【図３】図１のコンピュータに設けられた高画質化エンジンの構成を示すブロック図。
【図４】内蔵ＬＣＤ、外部出力であるＣＲＴおよびＴＶの組み合わせ表示方法を示す模式図。
【図５】図１のコンピュータにおいて実行される表示制御処理の手順を示すフローチャート。
【符号の説明】
【００７０】
１０…コンピュータ、１７…ＬＣＤ、１５Ａ…ＴＶ起動ボタン、１５Ｂ…ＤＶＤ／ＣＤ起動ボタン、１１４…グラフィクスコントローラ、１１５…高画質化エンジン、１１８…スイッチ、２０１…ＲＧＢ／ＹＵＶ変換部、２０２…画質補正処理部、２０３…スケーリング処理部、２０４…スケーリングレジスタ、２０５…ＹＵＶ／ＲＧＢ変換部。
【図１】
2007212578.tif 000003
【図２】
2007212578.tif 000004
【図３】
2007212578.tif 000005
【図４】
2007212578.tif 000006
【図５】
2007212578.tif 000007